(57)【特許請求の範囲】
【請求項１】
有線通信又は無線通信が可能である親機と、前記親機と通信を行うための登録がなされたときに該親機と無線通信が可能となる子機とが無線通信できるようにするための通信システムであって、
前記親機と接続可能な登録親機及び前記子機と接続可能な登録子機を備え、
前記登録親機は、
前記登録を行う際に必要なパラメータを入力する入力手段と、
前記登録の開始通知と前記入力手段により入力されたパラメータの中から親機登録用のパラメータとを前記親機に送信する親機通信手段と、
前記登録の開始通知と前記入力手段により入力されたパラメータの中から子機登録用のパラメータとを前記登録子機に無線通信により送信する無線通信手段とを備え、
前記登録子機は、前記無線通信手段により送信された前記開始通知と前記子機登録用のパラメータとを前記子機に送信する子機通信手段を備えることを特徴とする通信システム。
【請求項２】
前記親機は、前記登録の開始通知を受信したときに前記登録親機に前記登録を開始した旨を通知し、
前記子機は、前記登録の開始通知を受信したときに、前記登録子機を介して前記登録親機に前記登録を開始した旨を通知し、
前記登録親機は、前記親機からの前記通知又は前記子機からの前記通知を受けると、前記親機又は前記子機が登録モードになったことを表示する表示手段を備えることを特徴とする請求項１記載の通信システム。
【請求項３】
前記親機は、前記子機の登録が終了すると、該登録が完了した旨を前記登録親機に通知し、
前記子機は、前記親機の登録が終了すると、該登録が完了した旨を前記登録子機を介して前記登録親機に通知し、
前記登録親機は、前記親機からの前記通知又は前記子機からの前記通知を受けると、登録の終了を表示する表示手段を備えることを特徴とする請求項１記載の通信システム。
【請求項４】
有線通信又は無線通信が可能である親機と、前記親機と通信を行うための登録がなされると該親機と無線通信が可能となる子機とが無線通信できるようにするための通信システムであって、
前記親機と接続可能な登録親機及び前記子機と接続可能な登録子機を備え、
前記登録子機は、
前記登録の開始通知と子機登録用のパラメータとを前記登録親機から無線により受信する受信手段と、
前記受信手段により前記登録の開始通知を受信すると、前記子機に登録の開始を通知し、前記子機登録用のパラメータを受信すると、該パラメータを前記子機に通知する通知手段とを備え、
前記登録親機は、前記登録子機に前記開始通知と前記パラメータとを無線により送信する送信手段を備えることを特徴とする通信システム。
【請求項５】
前記登録子機は、前記子機の動作又は前記子機からの通知を前記登録親機に転送する転送手段を有することを特徴とする請求項４記載の通信システム。
【請求項６】
有線通信又は無線通信が可能である親機と、前記親機と通信を行うための登録がなされたときに該親機と無線通信が可能となる子機とが無線通信できるようにするための通信システムの制御方法であって、
前記通信システムは、前記親機と接続可能な登録親機及び前記子機と接続可能な登録子機を備え、
前記登録親機は、前記登録の開始通知と入力部を介して入力されたパラメータの中から親機登録用のパラメータとを前記親機に送信する親機通信工程と、
前記登録の開始通知と前記入力部を介して入力されたパラメータの中から子機登録用のパラメータとを前記登録子機に無線により送信する無線通信工程とを有し、
前記登録子機は、前記無線通信工程により送信された前記開始通知と前記子機登録用のパラメータを前記子機に送信する子機通信工程とを有することを特徴とする通信システムの制御方法。
【請求項７】
有線通信又は無線通信が可能である親機と、前記親機と通信を行うための登録がなされると該親機と無線通信が可能となる子機とが無線通信できるようにするための通信システムの制御方法であって、
前記通信システムは、前記親機と接続可能な登録親機及び前記子機と接続可能な登録子機を備え、
前記登録子機は、
前記登録の開始通知と子機登録用のパラメータとを前記登録親機から無線により受信する受信工程と、
前記受信工程において前記登録の開始通知を受信すると、前記子機に登録の開始を通知し、前記子機登録用のパラメータを受信すると、該パラメータを前記子機に通知する通知工程と、を備え、
前記登録親機は、前記登録子機に前記開始通知と前記パラメータを無線により送信する送信工程を備えることを特徴とする通信システムの制御方法。
【請求項８】
有線通信又は無線通信が可能である親機と、前記親機と通信を行うための登録がなされたときに該親機と無線通信が可能となる子機とが無線通信できるようにするための通信システムが有する機器が実行するプログラムを格納した記憶媒体であって、
前記通信システムは、前記親機と接続可能な登録親機及び前記子機と接続可能な登録子機を備え、
前記プログラムは、前記登録親機が実行する工程として、
前記登録の開始通知と入力部を介して入力されたパラメータの中から親機登録用のパラメータとを前記親機に送信する親機通信工程と、
前記登録の開始通知と前記入力部を介して入力されたパラメータの中から子機登録用のパラメータとを前記登録子機に無線により送信する無線通信工程とを有することを特徴とする記憶媒体。
【請求項９】
有線通信又は無線通信が可能である親機と、前記親機と通信を行うための登録がなされたときに該親機と無線通信が可能となる子機とが無線通信できるようにするための通信システムが有する機器が実行するプログラムを格納した記憶媒体であって、
前記通信システムは、前記親機と接続可能な登録親機及び前記子機と接続可能な登録子機を備え、
前記プログラムは、前記登録子機が実行する工程として、
前記登録の開始通知と子機登録用のパラメータとを前記登録親機から無線により受信する受信工程と、
前記受信工程において前記登録の開始通知を受信すると、前記子機に登録の開始を通知し、前記子機登録用のパラメータを受信すると、該パラメータを前記子機に通知する通知工程と、を有することを特徴とする記憶媒体。
【発明の詳細な説明】
【０００１】
【発明の属する技術分野】
本発明は、通信システム、及びその制御方法、並びに記憶媒体に関し、特に当該システムで用いられる親機と子機の登録操作を行う通信システム、及びその制御方法、並びに記憶媒体に関する。
【０００２】
【従来の技術】
従来、通信システムにおいては、親機と子機の間で混信なく通信を行うために、いわゆる「登録」という操作が行われている。ここでいう登録とは、親機及び子機各々を識別するためのＩＤ番号等を互いに通知し、記憶することである。この登録操作以後、通信を行う際はこれらのＩＤ番号をお互いに確認した後に通信路を開くことで誤接続を防止している。前述の登録を行う方法として、工場から出荷する時に特殊な治具等を用いて予め登録操作を行う方法や、子機の通話ボタンやダイヤルキーの特定の数字を押下しながら電源を入れるなどの所定の登録モード設定操作後に登録操作を行うことで市場において任意の子機と親機の通信を可能にする方法がある。また、一般的に市場における登録操作では、親機と子機とを並行して操作しながら必要なパスワード等の入力を行う誤登録防止方法を採用している。
【０００３】
【発明が解決しようとする課題】
しかしながら、子機を増設したいときや、任意の組み合わせの親機と子機とで通信を行わせたいときときは、上記のように工場出荷時に予め登録操作を行う方法では、一度工場などに戻し再登録を行う必要がある。また、子機のうち外部に通話ボタンやダイヤルキーを持たない構造のものに前述の登録モード設定操作方法を採用することや、入力手段を持たない親機や子機に前述の誤登録防止方法を採用することは到底できない。さらに、親機と離れた所にある情報処理装置に接続して使用する形態の子機のときは、親機と子機を並行して操作することは困難である。
【０００４】
本発明は、ユーザが子機と親機の登録の新規設定及び再設定を簡単に行えるようにする。
【０００５】
【課題を解決するための手段】
上記目的を達成するために、本発明の通信システムにおいて、有線通信又は無線通信が可能である親機と、前記親機と通信を行うための登録がなされたときに該親機と無線通信が可能となる子機とが無線通信できるようにするための通信システムであって、前記親機と接続可能な登録親機及び前記子機と接続可能な登録子機を備え、前記登録親機は、前記登録を行う際に必要なパラメータを入力する入力手段と、前記登録の開始通知と前記入力手段により入力されたパラメータの中から親機登録用のパラメータとを前記親機に送信する親機通信手段と、前記登録の開始通知と前記入力手段により入力されたパラメータの中から子機登録用のパラメータとを前記登録子機に無線通信により送信する無線通信手段とを備え、前記登録子機は、前記無線通信手段により送信された前記開始通知と前記子機登録用のパラメータとを前記子機に送信する子機通信手段を備えることを特徴とする。
【０００６】
また、上記目的を達成するために、本発明の通信システムにおいて、有線通信又は無線通信が可能である親機と、前記親機と通信を行うための登録がなされると該親機と無線通信が可能となる子機とが無線通信できるようにするための通信システムであって、前記親機と接続可能な登録親機及び前記子機と接続可能な登録子機を備え、前記登録子機は、前記登録の開始通知と子機登録用のパラメータとを前記登録親機から無線により受信する受信手段と、前記受信手段により前記登録の開始通知を受信すると、前記子機に登録の開始を通知し、前記子機登録用のパラメータを受信すると、該パラメータを前記子機に通知する通知手段とを備え、前記登録親機は、前記登録子機に前記開始通知と前記パラメータとを無線により送信する送信手段を備えることを特徴とする。
【０００７】
また、上記目的を達成するために、本発明の通信システムの制御方法において、有線通信又は無線通信が可能である親機と、前記親機と通信を行うための登録がなされたときに該親機と無線通信が可能となる子機とが無線通信できるようにするための通信システムの制御方法であって、前記通信システムは、前記親機と接続可能な登録親機及び前記子機と接続可能な登録子機を備え、前記登録親機は、前記登録の開始通知と入力部を介して入力されたパラメータの中から親機登録用のパラメータとを前記親機に送信する親機通信工程と、前記登録の開始通知と前記入力部を介して入力されたパラメータの中から子機登録用のパラメータとを前記登録子機に無線により送信する無線通信工程とを有し、前記登録子機は、前記無線通信工程により送信された前記開始通知と前記子機登録用のパラメータを前記子機に送信する子機通信工程とを有することを特徴とする。
【０００８】
また、上記目的を達成するために、本発明の通信システムの制御方法において、有線通信又は無線通信が可能である親機と、前記親機と通信を行うための登録がなされると該親機と無線通信が可能となる子機とが無線通信できるようにするための通信システムの制御方法であって、前記通信システムは、前記親機と接続可能な登録親機及び前記子機と接続可能な登録子機を備え、前記登録子機は、前記登録の開始通知と子機登録用のパラメータとを前記登録親機から無線により受信する受信工程と、前記受信工程において前記登録の開始通知を受信すると、前記子機に登録の開始を通知し、前記子機登録用のパラメータを受信すると、該パラメータを前記子機に通知する通知工程と、を備え、前記登録親機は、前記登録子機に前記開始通知と前記パラメータを無線により送信する送信工程を備えることを特徴とする。
【０００９】
また、上記目的を達成するために、本発明の記憶媒体において、有線通信又は無線通信が可能である親機と、前記親機と通信を行うための登録がなされたときに該親機と無線通信が可能となる子機とが無線通信できるようにするための通信システムが有する機器が実行するプログラムを格納した記憶媒体であって、前記通信システムは、前記親機と接続可能な登録親機及び前記子機と接続可能な登録子機を備え、前記プログラムは、前記登録親機が実行する工程として、前記登録の開始通知と入力部を介して入力されたパラメータの中から親機登録用のパラメータとを前記親機に送信する親機通信工程と、前記登録の開始通知と前記入力部を介して入力されたパラメータの中から子機登録用のパラメータとを前記登録子機に無線により送信する無線通信工程とを有することを特徴とする。
【００１０】
また、上記目的を達成するために、本発明の記憶媒体において、有線通信又は無線通信が可能である親機と、前記親機と通信を行うための登録がなされたときに該親機と無線通信が可能となる子機とが無線通信できるようにするための通信システムが有する機器が実行するプログラムを格納した記憶媒体であって、前記通信システムは、前記親機と接続可能な登録親機及び前記子機と接続可能な登録子機を備え、前記プログラムは、前記登録子機が実行する工程として、前記登録の開始通知と子機登録用のパラメータとを前記登録親機から無線により受信する受信工程と、前記受信工程において前記登録の開始通知を受信すると、前記子機に登録の開始を通知し、前記子機登録用のパラメータを受信すると、該パラメータを前記子機に通知する通知工程と、を有することを特徴とする。
【００１３】
【発明の実施の形態】
以下、本発明の実施の形態に係る通信システムを図面を参照して説明する。
【００１４】
図１は、本発明の実施の形態に係る通信システムのシステム構成図である。
【００１５】
本発明の第１の実施の形態に係る通信システム１は、公衆網１０１と、公衆網の終端の１つである公衆回線１０５と、公衆回線１０５を収容する無線通信可能な親機１０２と、情報処理機能を有する情報処理装置１０４と、情報処理装置１０４と直接接続する無線通信可能な子機１０３と、子機１０３と接続可能且つ登録親機１０７と無線通信可能な登録子機１０６と、親機１０２と接続可能且つパラメータ等を入力するキーボード等からなる入力手段を有し、且つ登録子機１０６と無線通信可能な登録親機１０７とを備える。
【００１６】
図１の通信システム１は、後述する図１１の登録処理が終了すると、図２に示すように子機１０３に接続されていた登録子機１０６と、親機１０２に接続されていた登録親機１０７とが取り外され、親機１０２と子機１０３とは無線通信手段により通信を行う。
【００１７】
図３は、図１の子機１０３のブロック図である。
【００１８】
子機１０３は、以下の構成からなる。アンテナ３０４を介して親機１０２とのデータの通信を行う無線部３０１（無線部３０１は、データを送信する送信部３０２とデータを受信する受信部３０３からなる）と、受信したデータの信号を検波してデジタル信号に変換するとともに、後述する時分割処理部３０６から送られてくるデジタル信号を無線部３０１から送信するために変調する信号処理部３０５と、後述する送信データ処理部３０７からのデータを時分割多重通信方式に組立てるとともに、受信した時分割多重通信方式のデータを制御情報とデータを通信のデータに分解し、この分解したデータを後述する受信データ処理部３０８に送る時分割処理部３０６と、送信するデータに順序番号や誤り訂正のビットを付加する送信データ処理部３０７と、受信したデータから誤り訂正や順序番号を外す処理を行う受信データ処理部３０８と、通信データのデータ処理や登録子機１０６との通信等の子機１０３全体の制御を行う制御部３０９と、通信データを一時記憶するとともに、通信相手の親機１０２が登録されているか否か等の情報を記憶するメモリ３１０と、情報処理装置１０４とのデータの通信を行うデータ通信インターフェース３１１と、子機１０３本体を動作させるための電源３１２と、登録子機１０６との通信を行う登録子機通信インターフェース部３１３と、エラー表示などを行う表示部３１４とを備える。
【００１９】
図４は、図１の親機１０２のブロック図である。
【００２０】
親機１０２は、その内部構造が子機１０３のものと基本的に同じであり、制御部３０９に代えて、通信データのデータ処理や登録親機１０７との通信等の親機１０２全体の制御を行う制御部４０９を、メモリ３１０に代えて、通信データの一時記憶、通信相手の子機１０３が登録されているか否か等の情報を記憶するメモリ４１０を、データ通信インターフェース３１１に代えて、公衆回線１０５により通信を行う回線インターフェース４１１を、電源３１２に代えて、親機１０２本体を動作させるための電源４１２を、登録子機通信インターフェース３１３に代えて、登録親機１０７との通信を行う通信インターフェース部４１３を夫々有する。
【００２１】
図５は、図１の登録子機１０６のブロック図である。
【００２２】
登録子機１０６は、その内部構造が子機１０３のものと基本的に同じであり、制御部３０９に代えて、通信のデータ処理や子機１０３との通信等の登録子機１０６全体の制御を行う制御部５０９を、メモリ３１０に代えて、通信データを一時記憶するメモリ５１０を、電源３１２に代えて、登録子機１０６を動作させるための電源５１２を、子機通信インターフェース部３１３に代えて、子機１０３との通信を行う通信インターフェース部５１３を夫々有する。
【００２３】
図６は、図１の登録親機１０７のブロック図である。
【００２４】
登録親機１０７は、その内部構造が子機１０３のものと基本的に同じであり、制御部３０９に代えて、通信のデータ処理や親機１０２との通信等の登録親機１０７全体の制御を行う制御部６０９を、メモリ３１０に代えて、通信データを一時記憶するメモリ６１０を、電源３１２に代えて、登録親機１０７本体を動作させるための電源６１２を、登録子機通信インターフェース部３１３に代えて、親機１０２との通信を行う親機通信インターフェース部６１３を夫々有し、さらに新たに登録に必要なパスワードや登録開始の指示を入力するキーボード等からなる入力手段である入力部６１１を有する。
【００２５】
以下、図１の通信システム１における親機１０２と子機１０３の登録処理を説明する。尚、本処理において登録親機１０７と登録子機１０６間の通信方式は、機器１０６，１０７の無線部３０１によるデジタルコードレス電話の方式である。
【００２６】
図７は、図３の子機１０３の登録処理のフローチャートである。本登録処理は、子機１０３によって実行される。
【００２７】
図７において、子機１０３の登録処理が開始すると（ステップＳ７０１）、まず子機１０３はメモリ３１０の記憶情報において親機１０２が登録済か未登録かを判別する（ステップＳ７０２）。ステップＳ７０２の判別の結果、親機１０２が既に登録済であるときは、通常モードである親機１０２とのデータの通信可能な状態に移行して（ステップＳ７０４）、本処理を終了し、一方、通信相手となる親機１０２が未登録であるときは、登録子機１０６と接続された状態であるか否かを判別する（ステップＳ７０３）。ステップＳ７０３の判別の結果、登録子機１０６に接続されていないときは、前述のステップＳ７０１以降の処理を実行し、登録子機１０６に接続されているときは、子機１０３は登録子機１０６から登録開始指示があったか否かを判別する（ステップＳ７０５）。
【００２８】
ステップＳ７０５の判別の結果、指示が無かったときは、前述のステップＳ７０１以降の処理を実行し、指示があったときは、登録モードに移行する（ステップＳ７０６）。次いで、登録モードに移行した子機１０３は、受信部３０３を動作させて登録モードになっている親機１０２からの報知信号を探すことにより、登録モードの親機１０２があるか否かを判別する（ステップＳ７０７）。一定の時間（タイムアウト）までステップＳ７０７の判別処理を繰り返しても、登録モードの親機１０２からの報知信号がなかったときは登録モードの親機１０２がないと判別して（ステップＳ７０８でＹＥＳ）、エラー表示を行って（ステップＳ７１３）、本処理を終了する。
【００２９】
一方、ステップＳ７０７の判別の結果、登録モードの親機１０２からの報知信号があったときは登録モードの親機１０２があると判別して、後述する図１１の登録シーケンスを開始し（ステップＳ７０９）、登録モードの親機１０２が登録しようとしている相手が、子機１０３であるか否か等を判定しながら、このシーケンスを進めていく。親機１０２から必要な情報が来ない等の理由でこのシーケンスが停止することなく、登録が終了したか否かを判別する（ステップＳ７１０）。一定の時間（タイムアウト）までステップＳ７１０の判別処理を繰り返しても、登録が終了しないときは登録ができないと判別して（ステップＳ７１２でＹＥＳ）、エラー表示を行って（ステップＳ７１３）、本処理を終了する。ステップＳ７１０において正常に登録が終了したときは、本処理を終了する。
【００３０】
図８は、図４の親機１０２の登録処理のフローチャートである。本登録処理は、親機１０２によって実行される。
【００３１】
本処理が開始すると（ステップＳ８０１）、まず登録親機１０７と接続された状態であるか否かを判別する（ステップＳ８０２）。ステップＳ８０２の判別の結果、登録親機１０７と接続されていないときは、親機１０２はメモリ３１０の記憶情報において子機１０３が登録済か未登録かを判別する（ステップＳ８０３）。ステップＳ８０３の判別の結果、子機１０３が登録済みであるとき、通常モードである子機１０３と通信可能な状態に移行して（ステップＳ８０４）、本処理を終了し、一方、通信相手となる子機１０３が未登録であるときは、前述のステップＳ８０１以降の処理を実行する。
【００３２】
ステップＳ８０２の判別の結果、登録親機１０７と接続されているときは、親機１０２は登録親機１０７から登録開始指示があったか否かを判別する（ステップＳ８０５）。ステップＳ８０５の判別の結果、指示が無かったときは、前述のステップＳ８０１以降の処理を実行し、指示があったときは、登録モードに移行する（ステップＳ８０６）。次いで、登録モードに移行した親機１０２は、送信部３０２を動作させて登録モードになっている子機１０３に対して登録開始の報知信号を送信するとともに、受信部３０３を動作させて登録モードの子機１０３からの応答信号を探すことにより、登録モードの子機１０３からの応答があるか否かを判別する（ステップＳ８０７）。一定の時間（タイムアウト）までステップＳ８０７の判別処理を繰り返しても、登録モードの子機１０３からの応答信号がないときは登録モードの子機１０３からの応答がないと判別して（ステップＳ８０８でＹＥＳ）、エラー表示を行って（ステップＳ８１３）、本処理を終了する。
【００３３】
一方、ステップＳ８０７の判別の結果、登録モードの子機１０３からの応答信号があったときは登録モードの子機１３からの応答があると判別して、後述する図１１の登録シーケンスを開始し（ステップＳ８０９）、登録モードの子機１０３が登録しようとしている相手が、親機１０２であるか否か等を判定しながら、このシーケンスを進めていく。子機１０３から必要な情報が来ない等の理由でこのシーケンスが停止することなく、登録が終了したか否かを判別する（ステップＳ８１０）。一定の時間（タイムアウト）までステップＳ８１０の判別処理を繰り返しても、登録が終了しないときは登録ができないと判別して（ステップＳ８１２でＹＥＳ）、エラー表示を行って（ステップＳ８１３）、本処理を終了する。ステップＳ８１０において正常に登録が終了したときは、本処理を終了する。
【００３４】
図９及び図１０は、図６の登録親機１０７の登録処理のフローチャートである。本登録処理は、登録親機１０７によって実行される。
【００３５】
本処理が開始すると（ステップＳ９０１）、まず親機１０２と接続された状態であるか否かを判別する（ステップＳ９０２）。ステップＳ９０２の判別の結果、親機１０２と接続されていないときは、前述のステップＳ９０１以降の処理を実行する一方、親機１０２と接続されているときは、入力部６１１に登録開始の入力がされたか否かを判別する（ステップＳ９０３）。
【００３６】
ステップＳ９０３の判別の結果、登録開始の入力がされなかったときは、前述のステップＳ９０１以降の処理を実行し、一方、登録開始の入力がされたときは、登録親機１０７は登録子機１０６に着信応答をするよう指示する信号を発信する（ステップＳ９０４）。登録子機１０６からステップＳ９０４の信号に対して応答があったか否かを判別した結果（ステップＳ９０５）、応答が無かったときは、発信操作を停止し（ステップＳ９０６）、前述のステップＳ９０１以降の処理を実行し、一方、応答があったときは、登録親機１０７と登録子機１０６は無線通信による通信が可能な通信状態になったと判断し（ステップＳ９０７）、ステップＳ９０８に進む。
【００３７】
次いで、登録親機１０７は、接続している親機１０２に対して登録モードに移行するよう指示を出し、通信状態になっている登録子機１０６に接続している子機１０３に対しても登録子機１０６との無線通信を介して登録モードへ移行するよう指示を出す（ステップＳ９０９）。ステップＳ９０８，９０９の指示により、親機１０２と子機１０３とは、登録モードに移行し（ステップＳ９１０）、後述する図１１の登録シーケンスを開始する（ステップＳ９１１）。登録親機１０７は、親機１０２用の内線番号とパスワードの入力があったか否かを判別する（ステップＳ９１２）。一定の時間（タイムアウト）までステップＳ９１２の判別処理を繰り返しても、入力が無かったときは（ステップＳ９１３でＹＥＳ）、エラー表示を行って（ステップＳ９２１）、本処理を終了する。
【００３８】
一方、ステップＳ９１２の判別の結果入力があったときは、入力されたデータを親機１０２に通知し（ステップＳ９１４）、次に登録親機１０７は子機１０３用の内線番号とパスワードの入力があったか否かを判別する（ステップＳ９１５）。一定の時間（タイムアウト）までステップＳ９１５の判別処理を繰り返しても、入力が無かったときは（ステップＳ９１６でＹＥＳ）、エラー表示を行って（ステップＳ９２１）、本処理を終了する。一方、ステップＳ９１５の判別の結果、入力があったときは、登録子機１０６との無線回線を介して、子機１０３へ入力されたデータを通知する（ステップＳ９１７）。
【００３９】
前述のステップＳ９１４，Ｓ９１７において通知されたデータを使用して、親機１０２と子機１０３とはお互いの登録しようとしている相手は、自分であるか否か等を判定しながら、後述する図１１の登録シーケンスを進めていく。パスワードの間違いなど、何らかの理由でこのシーケンスが停止することなく、登録が終了したか否かを判別する（ステップＳ９１８）。一定の時間（タイムアウト）までステップＳ９１８の判別処理を繰り返しても、登録が終了しないときは登録ができないと判別して（ステップＳ９１９でＹＥＳ）、エラー表示を行って（ステップＳ９２１）、本処理を終了する。ステップＳ９１８において正常に登録が終了したときは、本処理を終了する。
【００４０】
次に、図７〜図１０において説明した登録動作を登録子機１０６を含めた全体の動きとして説明する。
【００４１】
図１１は、図１における通信システム１の親機１０２及び子機１０３の登録シーケンス図である。尚、本登録動作が開始すると、登録親機１０７の有する表示部３１４により当該登録シーケンスの進行状況が表示され、登録親機１０７の有する入力部６１１により内線番号等が入力される。
【００４２】
登録親機１０７及び親機１０２と、登録子機１０６及び子機１０３とが夫々接続された状態で、登録親機１０７の入力部６１１に登録開始の入力がされると（ステップＳ１００１）、登録親機１０７と登録子機１０６は無線通信による通信が可能な状態となり(図示せず)、登録親機１０７は登録子機１０６へ登録開始の指示を行い（ステップＳ１００２）、ステップＳ１００３へ進む。
【００４３】
次いで、登録親機１０７は、登録開始のコマンド"ＡＴ＠＋Ｂｌ"を親機１０２へ送信する。親機１０２はこのコマンドを受信すると、登録親機１０７へ登録モードになった通知"＠０＝ＳＯ  ＭＯＤＥ"を送信し（ステップＳ１００４）、登録親機１０７はこの通知を受信すると表示部３１４に"ＳＯ  ＭＯＤＥ"と表示する（ステップＳｌ００５）。
【００４４】
一方、ステップＳ１００２において登録開始指示を受けた登録子機１０６は、登録開始のコマンド"ＡＴ０＋Ｂｌ"を子機１０３へ送信する（ステップＳ１００６）。子機１０３は、ステップＳ１００６における登録子機１０６からのコマンドを受信すると、登録子機１０６へ登録モードになった通知"＠０＝ＳＯ  ＭＯＤＥ"を送信し（ステップＳ１００７）、登録子機１０６はこの通知を登録親機１０７へ転送する。登録親機１０７はこの転送された通知を受信すると表示部３１４に"ＰＳ  ＳＯ  ＭＯＤＥ"と表示する。
【００４５】
子機１０３は、"ＯＫ"の通知を登録子機１０６へ送信すると（ステップＳ１０１０）、親機１０２の報知信号からの待ち受け状態へ移行する（ステップＳ１０１１）。親機１０２は登録親機１０７へ"ＯＫ"の通知を送信すると（ステップＳ１００９）、登録親機１０７に登録する内線番号の入力を促す通知"＠＊＝ＰＳＮｏ？"を送信する（ステップＳｌ０１２）。登録親機１０７はステップＳ１０１２における通知を受信すると表示部３１４に"ＰＳＮｏ．？"と表示する（ステップＳ１０１３）。この親機１０２の内線番号が入力部６１１にユーザにより入力されると（ステップＳｌ０１４）と、入力された内線番号が登録親機１０７から親機１０２へ通知される（ステップＳ１０１５）。尚、本実施では内線番号として"１１"が入力される。
【００４６】
内線番号が通知された親機１０２は次にパスワードの入力を促す通知"＠＊＝ＰＡＳＳＷＯＲＤ？"を登録親機１０７へ送信し（ステップＳ１０１６）、この通知を受けた登録親機１０７は表示部３１４に"ＰＡＳＳＷＯＲＤ？"と表示する（ステップＳｌ０１７）。この親機１０２のパスワードが入力部６１１に入力されると（ステップＳ１０１８）、入力されたパスワードが登録親機１０７から親機１０２へ通知される（ステップＳ１０１９）。尚、本実施ではパスワードとして"１２３４"が入力される。
【００４７】
ステップＳ１０１５，Ｓ１０１９において内線番号及びパスワードが通知された親機１０２は、子機１０３に対して報知信号を送信するとともに（ステップＳｌ０２１）、処理中であることを示す通知"＠０＝ＲＵＮＮＩＮＧ"を登録親機１０７へ送信する（ステップＳ１０２０）。ステップＳ１０２０の通知を受けた登録親機１０７は表示部３１４へ"ＲＵＮＮＩＮＧ"と表示する（ステップＳ１０２２）。子機１０３は親機１０２からの報知信号を受信すると、登録子機１０６に子機登録用の内線番号の入力を促す通知"＠＊＝ＰＳＮｏ？"を送信し（ステップＳｌ０２３）、登録子機１０６はこの通知を登録親機１０７へ転送する。登録親機１０７はこの転送された通知を受信すると表示部３１４に"ＰＳ  ＰＳＮｏ．？"と表示する（ステップＳ１０２４）。この子機１０３の内線番号が入力部６１１に入力されると（ステップＳｌ０２５）と、入力された内線番号が登録親機１０７、登録子機１０６を介して子機１０３へ通知される（ステップＳ１０２６）。尚、本実施では内線番号として"１１"が入力される。
【００４８】
ステップＳ１０２６において、内線番号を受けた子機１０３は次にパスワードの入力を促す通知"＠＊＝ＰＡＳＳＷＯＲＤ？"を登録子機１０６へ送信し（Ｓ１０２７）、登録子機１０６はこの通知を登録親機１０７へ転送する。登録親機１０７はこの転送された通知を受信すると表示部３１４に"ＰＳ  ＰＡＳＳＷＯＲＤ？"と表示する（ステップＳ１０２８）。この子機１０３のパスワードが入力部６１１に入力される（ステップＳｌ０２９）と、入力されたパスワードは登録親機１０７、登録子機１０６を介して子機１０３へ通知される（ステップＳ１０３０）。尚、本実施ではパスワードとして"１２３４"が入力される。
【００４９】
ステップＳ１０２６，Ｓ１０３０において内線番号、パスワードの両方が通知された子機１０３は、処理中であることを示す通知"＠０＝ＲＵＮＮＩＮＧ"を登録子機１０６へ送信し（ステップＳｌ０３１）、登録子機１０６はこの通知を登録親機１０７へ転送する。登録親機１０７はこの転送された通知を受信すると表示部３１４に"ＰＳ  ＲＵＮＮＩＮＧ"と表示する（ステップＳ１０３２）。
【００５０】
次に、親機１０２と子機１０３は、加入者データ書き込みシーケンスの処理が行われる（ステップＳ１０３３）。書き込みシーケンスが終了すると、親機１０２は、登録正常終了を示す通知"＠０＝ＣＯＭＰＬＥＴＥ"を登録親機１０７へ送信し（ステップＳ１０３４）、この通知を受信すると、登録親機１０７は表示部３１４に"ＣＯＭＰＬＥＴＥ"と表示する（ステップＳ１０３５）。子機１０３も書き込みシーケンスが終了すると、登録正常終了を示す通知"＠０＝ＣＯＭＰＬＥＴＥ"を登録子機１０６へ送信し（ステップＳｌ０３６）、登録子機１０６はこの通知を登録親機１０７へ転送する。登録親機１０７はこの転送された通知を受信すると表示部３１４に"ＰＳ  ＣＯＭＰＬＥＴＥ"と表示する（ステップＳ１０３７）。
【００５１】
ステップＳ１０３５，Ｓ１０３７の表示がされた後、親機１０２は登録親機１０７に、子機１０３は登録子機１０６に各々正常に登録が完了したことを示す通知"＠＋"を送信して本登録処理を終了する（ステップＳｌ０３９，Ｓ１０３８）。
【００５２】
親機１０２、子機１０３共に本登録処理が正常に終了すると、その旨を示す通知が登録親機１０７の表示部３１４に表示されるので、ユーザは、当該登録処理が正常に終了したことを確実に知ることができる。
【００５３】
図７〜図１１の処理によれば、親機１０２に登録親機１０７が接続され、子機１０３に登録子機１０６が接続されているときに、登録親機１０７の入力部６１１に登録開始の入力がされると、親機１０２及び子機１０３に各々登録開始コマンドを送信し、その後親機１０２及び子機１０３から登録モードになると、入力部６１１に入力された親機１０２及び子機１０３の登録のための内線番号及びパスワードを送信するので、操作部のない通信システム機器であっても、親機１０２と子機１０３の登録処理を行うことが可能となる。
【００５４】
また、親機１０２及び子機１０３から登録モードになった旨の通知を登録親機１０７は表示部３１４に表示するので、ユーザは、登録モードである親機１０２及び子機１０３が存在していることを確認できる。
【００５５】
さらに、親機１０２、子機１０３共に内線及びパスワード登録が完了するとその旨を示す通知が登録親機１０７の表示部３１４に表示されるので、ユーザは、当該登録動作が確実になされていることを確認できる。
【００５６】
上記実施の形態では、登録親機１０７と登録子機１０６の間の通信は無線通信としたが、有線通信としても同様の効果が得られる。また、上記実施の形態では、入力部が登録親機１０７側にある例で示したが、入力部が登録子機１０６側にあるときでも同様の効果が得られる。
【００５７】
また、登録開始を登録親機１０７から、親機１０２及び登録子機１０６を介して子機１０３に通知した後に、パスワード等を入力していく方式としたが、パスワード等を入力した後、登録開始を通知する際に、これらパラメータを同時に通知する登録方法を用いても、同様の効果が得られる。
【００５８】
また、本発明は、前述した実施の形態の機能を実現するソフトウェアのプログラムモジュールを記憶した記憶媒体を、システムあるいは装置にプログラムを供給することによって達成されるときにも適用できることはいうまでもない。このとき、記憶媒体から読み出されたプログラムモジュール自体が本発明の新規な機能を実現することになり、そのプログラムを記憶した記憶媒体は本発明を構成することになる。
【００５９】
上記各実施の形態に係るプログラムモジュールは、登録親機１０７の制御部３０９に格納されているが、プログラムモジュールを供給する記憶媒体としては、例えばフロッピーディスク、ハードディスク、光ディスク（登録商標）、光磁気ディスク、ＣＤ−ＲＯＭ、ＣＤ−Ｒ、ＤＶＤ、ＭＯ、磁気テープ、不揮発性のメモリカードなどを用いることができる。
【００６０】
以上詳細に説明したように、登録親機で親機と子機の登録を行う際に必要なパラメータがユーザにより入力されると、登録親機により、親機に前記登録の開始通知及び前記入力されたパラメータの中から親機登録用のパラメータを伝達し、一方、登録子機に前記登録の開始通知及び前記入力されたパラメータの中から子機登録用のパラメータからなる情報とを伝達し、前記情報が登録親機から登録子機に伝達されたときに、登録子機により、前記情報を子機に伝達するので、ユーザが子機と親機の登録の新規設定及び再設定を自由に行うことができ、さらにその設定の際に必要な入力手段を子機、親機共に備えておく必要をなくし、また親機と子機とを並行して操作する必要もない。
【００６１】
また、親機が前記登録の開始通知を受信したときに、親機により登録親機に通知される前記登録を開始した旨と、前記登録の開始通知を受信したときに子機により登録子機を介して登録親機に通知される前記登録を開始した旨とを、前記登録親機により表示するので、子機と親機の登録の設定の経過を確認することができるため、確実に登録することができる。
【００６２】
また、親機に前記親機登録用のパラメータが伝達されると、親機により登録子機に通知される前記親機登録用のパラメータの登録が完了した旨と、子機に前記子機登録用のパラメータが伝達されると、子機により前記登録子機を介して前記登録親機に通知される前記子機登録用のパラメータの登録が完了した旨とを、登録親機により表示するので、子機と親機の登録の設定の経過を確認することができるため、確実に登録することができる。
【００６３】
また、登録子機で親機と子機の登録を行う際に必要なパラメータがユーザにより入力されると、登録子機により、子機に前記登録の開始通知及び前記入力されたパラメータの中から子機登録用のパラメータを伝達し、一方、登録親機に前記登録の開始通知及び前記入力されたパラメータの中から親機登録用のパラメータからなる情報とを伝達し、前記情報が登録子機から登録親機に伝達されたときに、登録親機により、前記情報を親機に伝達するので、ユーザが子機と親機の登録の設定を自由に行うことができ、さらにその設定の際に必要な入力手段を子機、親機共に備えておく必要をなくし、また親機と子機とを並行して操作する必要もない。
【００６４】
また、子機は、他の情報処理機能を有する装置と接続して使用するので、親機と子機の登録の設定後は親機から前記子機に接続されている装置の遠隔操作を行うことができる。
【００６５】
また、登録親機は登録子機と無線通信方式で通信するので、子機の移動が困難な場合であっても、ユーザが子機と親機の登録の設定を自由に行うことができる。
【００６６】
また、前記無線通信方式は、ＰＨＳ又はデジタルコードレスホンであるので、比較的高速で安定したデータ伝送ができ、また、端末の所在地をかなり正確に把握できるのでより確実に子機と親機の登録の設定を行うことができる。さらに、登録親機は登録子機と有線通信方式で通信するので、確実に子機と親機の登録の設定を行うことができる。
【００６７】
また、共通な入力装置を利用して子機への入力と親機への入力を行えるので、ユーザが子機と親機の登録の設定を容易に行える。また、さらにその設定の際に必要な入力手段を子機、親機共に備えておく必要をなくし、また親機と子機とを並行して操作する必要もない。
【発明の効果】
以上のように本発明によれば、ユーザが子機と親機の新規設定及び再設定を簡単に行うことができる。
【図面の簡単な説明】
【図１】本発明の実施の形態に係る通信システムのシステム構成図である。
【図２】登録処理終了後の本発明の実施の形態に係る通信システムのシステム構成図である。
【図３】図１の子機１０３のブロック図である。
【図４】図１の親機１０２のブロック図である。
【図５】図１の登録子機１０６のブロック図である。
【図６】図１の登録親機１０７のブロック図である。
【図７】図３の子機１０３の登録処理のフローチャートである。
【図８】図４の親機１０２の登録処理のフローチャートである。
【図９】図６の登録親機１０７の登録処理のフローチャートである。
【図１０】図６の登録親機１０７の登録処理のフローチャートである。
【図１１】図１における通信システム１の登録処理のシーケンス図である
【符号の説明】
１  通信システム
１０１  公衆網
１０２  親機
１０３  子機
１０４  情報処理装置
１０５  公衆回線
１０６  登録子機
１０７  登録親機
【図１】
0004454829.tif 000002
【図２】
0004454829.tif 000003
【図３】
0004454829.tif 000004
【図４】
0004454829.tif 000005
【図５】
0004454829.tif 000006
【図６】
0004454829.tif 000007
【図７】
0004454829.tif 000008
【図８】
0004454829.tif 000009
【図９】
0004454829.tif 000010
【図１０】
0004454829.tif 000011
【図１１】
0004454829.tif 000012